(57)【要約】【課題】  分解組立、交換に便利なスペアファン装置の提供。【解決手段】  上部開口と少なくとも一つの収容空間を具え、各収容空間に前側通風口と後側通風口がある収容ケースと、該収容ケースの上部開口より該収容ケースの収容空間中に挿入されて位置決めされた少なくとも一つの第１ファンと、該収容ケースの上部開口より該収容ケースの収容空間中に挿入されて位置決めされ該第１ファンと前後に近接するように並列に配置された第２ファンと、該収容ケースの上部開口に閉じ合わされた上蓋と、を具えている。【選択図】        図２
2005147121.tif 000002
【特許請求の範囲】
【請求項１】
スペアファン装置において、
上部開口と少なくとも一つの収容空間を具え、各収容空間に前側通風口と後側通風口がある収容ケースと、
該収容ケースの上部開口より該収容ケースの収容空間中に挿入されて位置決めされた少なくとも一つの第１ファンと、
該収容ケースの上部開口より該収容ケースの収容空間中に挿入されて位置決めされ該第１ファンと前後に近接するように並列に配置された第２ファンと、
該収容ケースの上部開口に閉じ合わされた上蓋と、
を具えたことを特徴とする、スペアファン装置。
【請求項２】
請求項１記載のスペアファン装置において、収容ケースが挿入孔と固定環を具え、上蓋に突起と係合ピンが設けられ、該上蓋の突起が該収容ケースの挿入孔に挿入され、該上蓋の係合ピンが該収容ケースの固定環に係合されることを特徴とする、スペアファン装置。
【請求項３】
請求項１記載のスペアファン装置において、収容空間が一つ、第１ファンが一つ、且つ第２ファンが一つ設けられたことを特徴とする、スペアファン装置。
【請求項４】
請求項１記載のスペアファン装置において、収容空間が二つ、第１ファンが二つ且つ第２ファンが二つ設けられたことを特徴とする、スペアファン装置。
【発明の詳細な説明】
【技術分野】
【０００１】
本発明は、一種のスペアファン装置に係り、特に、分解組立、交換に便利なスペアファン装置に関する。
【背景技術】
【０００２】
現在コンピュータ内部の運転速度がますます速くなる状況にあって、良好な放熱環境がますます重要となっており、それがなければ速度が低下するだけでなく、厳重な場合は運転不能となり、焼損し、取り返しのつかない損害を受ける場合さえある。周知のファン構造は図１に示されるように、先ず単一或いは二つのファン４００がネジ５００でサポートフレーム６００に固定され、さらに係合方式でサポートフレーム６００がマシンボード或いはマシンケースに取り付けられる。しかし、長時間運転の後にファン４００に故障が発生した場合、即刻放熱補助を行なうスペアファンは設けられていない。損失を形成する前に、使用者が例え故障に気づいたとしても、修理のためにファン４００を取り外すのは相当に面倒であり、ネジ５００を取り外さなければファン４００をサポートフレーム５００より取り外して交換することはできない。しかし、メインファンが故障した時に、即刻起動できるスペアファンを設けるとすれば、余分にサポートフレームを増設しなければならず、ファン占有体積が大幅に増し、不便である。
【発明の開示】
【発明が解決しようとする課題】
【０００３】
本発明の主要な目的は、一種のスペアファン装置を提供することにあり、それは取り外し、交換、或いは取り付けに便利なファンモジュールにより、メインファンが故障した時に、即刻スペアファンを起動して即時に電子装置を保護できるものとする。
【課題を解決するための手段】
【０００４】
請求項１の発明は、スペアファン装置において、
上部開口と少なくとも一つの収容空間を具え、各収容空間に前側通風口と後側通風口がある収容ケースと、
該収容ケースの上部開口より該収容ケースの収容空間中に挿入されて位置決めされた少なくとも一つの第１ファンと、
該収容ケースの上部開口より該収容ケースの収容空間中に挿入されて位置決めされ該第１ファンと前後に近接するように並列に配置された第２ファンと、
該収容ケースの上部開口に閉じ合わされた上蓋と、
を具えたことを特徴とする、スペアファン装置としている。
請求項２の発明は、請求項１記載のスペアファン装置において、収容ケースが挿入孔と固定環を具え、上蓋に突起と係合ピンが設けられ、該上蓋の突起が該収容ケースの挿入孔に挿入され、該上蓋の係合ピンが該収容ケースの固定環に係合されることを特徴とする、スペアファン装置としている。
請求項３の発明は、請求項１記載のスペアファン装置において、収容空間が一つ、第１ファンが一つ、且つ第２ファンが一つ設けられたことを特徴とする、スペアファン装置としている。
請求項４の発明は、請求項１記載のスペアファン装置において、収容空間が二つ、第１ファンが二つ且つ第２ファンが二つ設けられたことを特徴とする、スペアファン装置としている。
【発明の効果】
【０００５】
本発明の長所はその組立にネジが不要で、分解が容易であり、使用者が故障に気づいた時に、即刻取り外して交換することができ、専用の工具を使用する必要がない。このほか、本発明は大幅に占用空間を減らすことができ、幾組のファンを取り付けようとただ一つの収容ケースを使用するだけであり、周知の技術が、各一組のファンに一組の収容ケースを使用したのに較べ、多くの空間を減らすことができる。且つ本発明のスペアファン装置はその拡充性が良好で、使用者の必要とするファンの数により収容ケースの収容空間を増すことができ、使用に非常に便利である。
【発明を実施するための最良の形態】
【０００６】
本発明のスペアファン装置は、上部開口と少なくとも一つの収容空間を具え、各収容空間に前側通風口と後側通風口がある収容ケースと、該収容ケースの上部開口より該収容ケースの収容空間中に挿入されて位置決めされた少なくとも一つの第１ファンと、該収容ケースの上部開口より該収容ケースの収容空間中に挿入されて位置決めされ該第１ファンと前後に近接するように並列に配置された第２ファンと、該収容ケースの上部開口に閉じ合わされた上蓋と、を具えている。
【０００７】
本発明のスペアファン装置は、好ましくはその収容ケースが挿入孔と固定環を具えたものとされ、該上蓋に突起と係合ピンが設けられ、該上蓋の突起が該収容ケースの挿入孔に挿入され、該上蓋の係合ピンが該収容ケースの固定環に係合される。本発明のスペアファン装置は、該収容空間、第１ファン、第２ファンの個数に制限はないが、好ましくは収容空間は一つとされ、第１ファンは一つ、第２ファンは一つとされる。更に好ましくは、該収容空間は二つ、第１ファンは二つ且つ第２ファンは二つとされる。
【実施例１】
【０００８】
図２は本発明のスペアファン装置の立体図である。本発明のスペアファン装置は収容ケース１０、二つの第１ファン２０、２１、二つの第２ファン３０、３１、及び上蓋４０を具えている。収容ケース１０は上部開口１１と二つの収容空間１２、１３を具え、各収容空間１２、１３が前側通風口１２１、１３１と後側通風口１２２、１３２を具えて空気が流通するものとされる。このほか、収容ケース１０にさらに挿入孔１４と固定環１５が設けられている。第１ファン２０、２１は収容ケース１０の上部開口１１よりそれぞれ収容ケース１０の収容空間１２、１３中に位置決めされ、第２ファン３０、３１もまた収容ケース１０の上部開口１１より収容ケース１０の収容空間１２、１３中にそれぞれ位置決めされ、且つ第２ファン３０、３１は第１ファン２０、２１と前後に緊密に並列配置される。上蓋４０は収容ケース１０の上部開口１１に閉じ合わされ、上蓋４０の一端に突起４１があり、別端に係合ピン４２が設けられ、突起４１が収容ケース１０の挿入孔１４に挿入され、係合ピン４２が収容ケース１０の固定環１５に係合し、これによ上蓋４０が収容ケース１０の上部開口１１に閉じ合わされる。
【０００９】
このスペアファン装置をマシンケース内に組み付ける時は、図３に示されるように、まず第１ファン２０、２１と第２ファン３０、３１をそれぞれ収容ケース１０の収容空間１２、１３に取り付け、さらに上蓋４０の突起４１を収容ケース１０の挿入孔１４に挿入し、並びに上蓋４０の係合ピン４２を収容ケース１０の固定環１５に係合させ、図４に示されるように、こうしてスペアファン装置の組立を完成する。最後に図５に示されるように、さらに組立完成した全体のスペアファン装置をマシンケース１００内に取り付ければスペアファン装置の取り付けが完成する。
【００１０】
第１ファン２０、２１或いは第２ファン３０、３１に故障が見つかり、取り出して交換する必要が生じた時は、先ずマシンケース１００の上蓋を取り外し、さらに上蓋４０の係合ピン４２を収容ケース１０の固定環１５より離脱させ、並びに必要に応じて上蓋４０の突起４１を収容ケース１０の挿入孔１４より取り外し、上蓋４０と収容ケース１０を分離させた後、損壊したファンを取り出し、並びに前述の組立ステップにより正常なファンに交換し、さらに上蓋４０を閉じれば交換の動作が完成する。
【実施例２】
【００１１】
本実施例のスペアファン装置の構造、スペアファン装置の取り付け或いは交換方式は実施例１と同じであるが、異なるところは一つの第１ファン２００と一つの第２ファン３００だけを使用しているところである。
【図面の簡単な説明】
【００１２】
【図１】周知のスペアファン装置の構造表示図である。
【図２】本発明のスペアファン装置の分解斜視図である。
【図３】本発明のスペアファン装置の斜視図である。
【図４】本発明のスペアファン装置の上蓋と収容ケースの組合せ表示図である。
【図５】本発明のスペアファン装置のマシンケース内での取り付け表示図である。
【図６】本発明の別の実施例表示図である。
【符号の説明】
【００１３】
１０  収容ケース              １１  上部開口        １２  収容空間
１３  収容空間                １２１  前側通風口    １２２  後側通風口
１３１  前側通風口            １３２  後側通風口    １４  挿入孔
１５  固定環                  ２０  第１ファン      ２１  第１ファン
３０  第２ファン              ３１  第２ファン      ４０  上蓋
４１  突起                    ４２  係合ピン        １００  マシンケース
２００  第１ファン            ３００  第２ファン
【図１】
2005147121.tif 000003
【図２】
2005147121.tif 000004
【図３】
2005147121.tif 000005
【図４】
2005147121.tif 000006
【図５】
2005147121.tif 000007
【図６】
2005147121.tif 000008